(57)【要約】【課題】アンテナと基板との接触を電気的に安定させることができる通信モジュールの構成を提供することにある。【解決手段】メイン基板とこのメイン基板に比べて表面積が小さいアンテナユニットとを有する通信モジュールに関する。メイン基板の第１面には、第１端子が形成されており、アンテナユニットの第２面に形成された第２端子と接触して、電気的に接続する。また、メイン基板とアンテナユニットとを保持するホルダーには、アンテナユニットを第２面が第１面と対向させた状態でスライド挿入する開口が形成された収容空間と、この収容空間の内側に、アンテナユニットをメイン基板に向けて押し付ける押し付け部と、を有している。【選択図】図２
2016015593.tif 000002
【特許請求の範囲】
【請求項１】
通信モジュールであって、
第１端子が形成された第１面を備える第１の基板と、
第２面に形成された第２端子により前記第１の基板の前記第１端子と接触するアンテナユニットと、
前記第１の基板の前記第１端子と前記アンテナユニットの前記第２端子との電気的な接続を保持するホルダーと、を有し、
前記ホルダーは、
前記アンテナユニットを前記第２面が前記第１の基板の前記第１面と対向させた状態でスライド挿入する開口が形成された収容空間と、
前記収容空間の内側に、前記アンテナユニットを前記第１の基板に向けて押し付ける押し付け部と、を有することを特徴とする通信モジュール。
【請求項２】
前記押し付け部は、前記ホルダーの内壁側から伸びたリブである、ことを特徴とする請求項１に記載の通信モジュール。
【請求項３】
前記ホルダーは袋形状であって、前記収容空間には、前記アンテナユニットと前記第１の基板とが挿入されている、ことを特徴とする請求項１または請求項２のいずれかに記載の通信モジュール。
【請求項４】
前記第１の基板は、長手方向の一方の端にコネクターが位置し、長手方向の他端に前記第１端子が位置しており、
前記ホルダーの収容空間には、前記第１の基板の前記第１端子が位置する前記他端が挿入されている、ことを特徴とする請求項３に記載の通信モジュール。
【請求項５】
前記ホルダーは、前記開口側に位置する前記アンテナユニットの縁とかかわる爪部を有し、
前記爪部は、前記アンテナユニットを前記収容空間の奥側に押し付ける、ことを特徴とする請求項１から請求項４のいずれか一項に記載の通信モジュール。
【請求項６】
請求項１に記載の前記通信モジュールと、前記通信モジュールと接続する第２の基板と、前記通信モジュールおよび前記第２の基板とを収容する筐体と、を備えることを特徴とする電子機器。
【発明の詳細な説明】
【技術分野】
【０００１】
本発明は、通信モジュールを備える電子機器に関する。
【背景技術】
【０００２】
無線通信を行うために、電波を受信するアンテナユニットを備える通信モジュールが知られている。通信モジュールには、電波を受信するアンテナユニットと、このアンテナユニットで受信した電波を信号に変換する基板とが必要となる。特許文献１には、基板上にアンテナ本体（アンテナユニット）を固定したものが開示されている（例えば、特許文献１参照）。
【０００３】
通信モジュールのなかには、アンテナユニットと基板とを固定することなく接触させた状態で保持するものも知られている。引用文献２には、アンテナをカバー部材の内側で位置決めした状態で、アンテナをプリント基板に接触させた車載用受信装置が開示されている（例えば、特許文献２参照）。
【先行技術文献】
【特許文献】
【０００４】
【特許文献１】特開平７−３２１５２８号公報
【特許文献２】特開２００７−８１５２９号公報
【発明の概要】
【発明が解決しようとする課題】
【０００５】
アンテナユニットと基板との電気的な接続を安定させるために、アンテナユニットと基板とを筐体内に収容して位置決めすると、筐体が大きくなることにより通信モジュールのサイズが大型化する。また、部品点数の増加や、筐体内にこもる熱の問題も生じる。
【０００６】
本発明は、上記課題にかんがみてなされたもので、アンテナと基板との接触を電気的に安定させることができる新たな通信モジュールの構成を提供することにある。
【課題を解決するための手段】
【０００７】
上記課題を解決するために、本発明の一態様では、第１の基板とこの第１の基板に比べて表面積が小さいアンテナユニットとを有する通信モジュールに関する。第１の基板の第１面には、第１端子が形成されており、アンテナユニットの第２面に形成された第２端子と接触して電気的に接続する。また、第１の基板とアンテナユニットとを保持するホルダーには、アンテナユニットを第２面が第１面と対向させた状態でスライド挿入する開口が形成された収容空間を有しており、この収容空間の内側にはアンテナユニットを第１の基板に向けて押し付ける押し付け部を有している。
【０００８】
『アンテナユニットを第２面が第１面と対向させた状態でスライド挿入する』とは、ホルダーを第１の基板に取り付けた状態でアンテナユニットの第２面と第１の基板の第１面と対向させてホルダーの収容空間にスライド挿入する場合に加えて、第１の基板の第１面とアンテナユニットの第２面とを対向させた状態で、両者をホルダーの収容空間にスライド挿入する場合をも含む。
『押し付け部』は、ホルダーの収容空間の内側に形成されており、アンテナユニットを第１の基板に向けて押し付けるものであればどのようなものであってもよく、ホルダーの内壁から伸びた片や、ホルダーの内壁が傾斜することで、アンテナユニットを第１の基板に押し付けるものであってもよい。
【０００９】
上記のように構成された発明では、アンテナユニットをホルダーの収容空間に挿入することで、ホルダー内の押し付け部がアンテナユニットを第１の基板に押し付け、第１の基板の第１端子とアンテナユニットの第２端子との電気的な接続を安定的に保持することができる。
【図面の簡単な説明】
【００１０】
【図１】電子機器の外観図。
【図２】一例としての通信モジュール１０を示す斜視図。
【図３】一例としての通信モジュール１０の分解斜視図。
【図４】ホルダー４０の内部を説明する断面図。
【図５】ホルダー４０を上方から見た上面図。
【図６】第２の実施形態における通信モジュール１０の構成を示す分解斜視図。
【図７】通信モジュール１０の断面図。
【発明を実施するための形態】
【００１１】
以下、下記の順序に従って本発明の実施形態を説明する。
１．第１の実施形態：
２．第２の実施形態：
３．第３の実施形態：
４．その他の実施形態：
【００１２】
１．第１の実施形態：
【００１３】
図１は、電子機器の外観図である。
図１では、電子機器の一例として、録画装置を示している。録画装置１００は、システム基板（第２の基板）９０と、システム基板９０に固定される通信モジュール１０と、システム基板９０と通信モジュール１０とを収容する筐体８０と、を有している。
【００１４】
筐体８０は、フロントケース８１と、ボトムシャーシ８２と、トップケース８３とを有している。ボトムシャーシ８２には、システム基板９０と、図示しない光ディスクドライブとが固定されている。また、このシステム基板９０には、通信モジュール１０が取り付けられている。通信モジュール１０は、図示しない外部装置からの無線受信や、録画装置１００から外部機器への無線送信を行う。
【００１５】
図２は、一例としての通信モジュール１０を示す斜視図である。図３は、一例としての通信モジュール１０の分解斜視図である。図２、３に示す通信モジュール１０は、メイン基板（第１の基板）２０と、アンテナユニット３０と、ホルダー４０とを備えている。通信モジュールは、ＩＥＥＥ８０２に対応する無線ＬＡＮモジュールであり、システム基板９０との間でＨＤＭＩ規格の通信を行う（ＨＤＭＩは登録商標）。無論、通信モジュール１０が対応する規格はＨＤＭＩに限定されず、ＵＳＢ規格であってもよい。
【００１６】
以下では、メイン基板２０の長手方向をＸ方向とし、メイン基板２０の幅方向をＹ方向とし、メイン基板２０の高さ方向をＺ方向とも記載する。また、Ｘ、Ｙ、Ｚのそれぞれの方向における向きを１、２の添え字を付して区別する場合もある。
【００１７】
アンテナユニット３０は、無線電波を受信し、受信電波に応じた信号を端子（第２端子）から出力する。アンテナユニット３０は、無線波を受信するアンテナ配線３１と、このアンテナ配線３１を保持するボディー３２と、を備えている。図２、３に示すアンテナユニット３０は、薄板状の基板であって、ボディー３２の上面３３にアンテナ配線３１と電気的に接続する第２端子３５が位置している。図２、図３では、第２端子３５は、アンテナユニットの端部に位置している。第２端子３５は、例えば、ボディー３２から下方に伸びた凸状である。
【００１８】
メイン基板２０は、アンテナユニット３０が受信した電波を変換し、出力する。メイン基板２０には、図示しないアンテナユニット３０が受信した信号を復調する復調ＩＣや、ＨＤＭＩコントローラが実装されている。図２、３に示すメイン基板２０は、一方の辺が他方の辺と比べて長い長板状に形成されている。長手方向の一端（Ｘ２側）にはコネクター２１が電気的に接続されており、システム基板９０のコネクターと接続する。メイン基板２０の第１面２２には、アンテナユニット３０の第２端子３５と電気的に接続する第１端子２３が位置している。図２、３では、第１端子２３は、メイン基板２０の長手方向におけるコネクター２１と反対側の端（Ｘ１側）に形成されている。第１端子２３は、内側にへこむ凹形状となっている。
【００１９】
ホルダー４０は、メイン基板２０とアンテナユニット３０との第１端子２３と第２端子３５とを介した電気的接触を保持する。図２、図３に示すホルダー４０は、メイン基板２０の一部とアンテナユニット３０とが収容される収容空間４１を有する袋形状である。無論、ホルダー４０を袋形状とすることは一例に過ぎない。
【００２０】
図４は、ホルダー４０の内部を説明する断面図である。ホルダー４０の収容空間４１には、アンテナユニット３０を第２面３４がメイン基板２０の第１面２２と対向させた状態でスライド挿入する開口４２が形成されている。また、収容空間４１の内側には、アンテナユニット３０をメイン基板２０に向けて押し付ける押し付け部４３を有している。
【００２１】
図４は、ホルダー４０の内部を示す断面図である。図５は、ホルダー４０を上方から見た上面図である。図４に示すホルダー４０では、収容空間４１は開口４２からＸ方向に伸びている。また、収容空間４１の内側には、下方向（Ｚ２側）に伸びたリブにより押し付け部４３が形成されている。押し付け部４３の内壁からの伸びる長さは、開口４２から奥部（Ｘ２側からＸ１側）に進むに従い長くなっている。
【００２２】
ホルダー４０には、開口４２側に位置するアンテナユニット３０の縁とかかわる爪部４４を有している。爪部４４は、収容空間４１に挿入したアンテナユニット３０の端とかかわることで、アンテナユニット３０を収容空間４１の奥側（Ｘ２側からＸ１側）に押し付ける。さらに、ホルダー４０には、通信モジュール１０をシステム基板９０に固定するためのねじが挿入するブラケット４５が形成されている。
【００２３】
上記構成の通信モジュール１０の組み立て方法を説明する。
まず、メイン基板２０の第１面２２とアンテナユニット３０の第２面３４とを向き合わせて、第１端子２３と第２端子３５とを接触させる。ここで、第２端子３５の先端が、第１端子２３の凹部に挿入し、アンテナユニット３０がメイン基板２０に位置決めされる。
【００２４】
次に、メイン基板２０とこのメイン基板２０に位置決めされたアンテナユニット３０とをホルダー４０の開口４２から収容空間４１に挿入する。この状態でメイン基板２０とアンテナユニット３０とを収容空間４１の開口４２から奥側（Ｘ１側）に押し込むと、押し付け部４３の先端がアンテナユニット３０の上面３３と接触する。押し付け部４３の長さは収容空間４２の奥に進むほど長くなっているため、メイン基板２０とアンテナユニット３０とを収容空間４１に挿入するほど、押し付け部４３は、アンテナユニット３０をメイン基板２０に向けて押し付けていく。そのため、ホルダー４０の上下（Ｚ１、Ｚ２）の内壁によりメイン基板２０とアンテナユニット３０とを挟み込む。
【００２５】
さらに、メイン基板２０とアンテナユニット３０とをホルダー４０の収容空間４１の奥に押し入れることで、爪部４４がアンテナユニット３０の端部とかかわり、アンテナユニット３０およびメイン基板２０とをホルダー４０の収容空間４１の奥に押し付ける。以上により、通信モジュール１０が組み付けられる。
【００２６】
その後、通信モジュール１０のコネクター２１をシステム基板９０のコネクターに接続し、ホルダー４０のブラケット４５を介して通信モジュール１０をシステム基板９０に固定する。次に、システム基板９０を、ボトムシャーシ８２にねじ止めする。次に、ボトムシャーシ８２に図示しない光ディスクドライブを固定する。次に、ボトムシャーシにフロントケース８１と、ボトムシャーシ８２と、をそれぞれねじ止めし、筐体８０を組み付ける。以上により録画装置１００が完成する
【００２７】
以上説明したようにこの第１の実施形態では、ホルダー４０には、アンテナユニット３０を第２面がメイン基板２０の第１面と対向させた状態で開口４２から収容空間４１にスライド挿入されている。また、収容空間４１の内側にはアンテナユニット３０をメイン基板２０に向けて押し付ける押し付け部４３を有しており、メイン基板２０の第１端子２３とアンテナユニット３０の第２端子３５との電気的な接続を安定的に保持することができる。
【００２８】
ホルダー４０に形成される押し付け部４３が、ホルダー４０の内壁側から伸びたリブであるため、押し付け部４３の構成を簡易にし、作りやすくすることができる。
【００２９】
ホルダー４０を袋形状とし、収容空間４１にはアンテナユニット３０とメイン基板２０とが挿入されることで、ホルダー４０の内部でアンテナユニット３０とメイン基板２０とを挟み込むため、第１端子２３と第２端子３５との電気的な接触をより安定的に保持することができる。
【００３０】
メイン基板２０は、長手方向の一方の端にコネクターが位置し、長手方向の他端に第１端子２３が位置しており、ホルダー４０の収容空間４１には、メイン基板２０の第１端子２３が位置する端が挿入されているため、メイン基板２０の一部のみがホルダーで覆われるため、通信モジュール１０の放熱性を高めることができる。
【００３１】
ホルダー４０は、開口４２側に位置するアンテナユニット３０の縁とかかわる爪部４４を有し、この爪部４４が、アンテナユニット３０を収容空間４１の奥側に押し付けるため、アンテナユニット３０をより強固に保持することができる。
【００３２】
２．第２の実施形態：
この第２の実施形態では、ホルダー４０の収容空間にはアンテナユニットのみが収容される構成が第１の実施形態と比べて異なる。
図６は、第２の実施形態における通信モジュール１０の構成を示す分解斜視図である。図７は、通信モジュール１０の断面図である。なお、図７は、通信モジュール１０のＸ方向（Ｘ１−Ｘ２）での断面図である。この第２の実施形態で示す通信モジュール１０は、メイン基板１２０、アンテナユニット３０、ホルダー１４０と、を備える。
【００３３】
メイン基板１２０には、第１の実施形態同様、アンテナユニット３０が受信した信号を復調する図示しない復調ＩＣや、ＨＤＭＩコントローラが実装されている。図６、７に示すメイン基板１２０は、表面積がアンテナユニット３０に比べて大きい。メイン基板１２０の第１面１２１には、アンテナユニット３０の第２端子３５と電気的に接続する第１端子１２３が位置している。また、メイン基板１２０には、ホルダー４０の固定片（後術）が挿入する３つのスリット１２４、１２５、１２６が形成されている。
【００３４】
ホルダー１４０は、第１の実施形態同様、メイン基板１２０とアンテナユニット３０との第１端子１２３と第２端子３５とを用いた電気的接触を保持する。図６、７に示すホルダー１４０は、半楕円形であり下面（Ｚ２側）が開口している。また、ホルダー１４０には、アンテナユニット３０が収容される収容空間１４１と、アンテナユニット３０を収容空間１４１にスライド挿入するための開口１４２と、が形成されている。収容空間１４１の内側にはアンテナユニット３０をメイン基板２０に向けて押し付ける押し付け部１４３が形成されている。
アンテナユニット３０は、第１の実施形態と同様の構成であるため、説明を省略する。
【００３５】
図６、図７に示すホルダー１４０には、下方（Ｚ２側）に伸びた固定片１４４、１４５、１４６が形成されている。ホルダー１４０の固定片１４４、１４５、１４６は、メイン基板１２０のスリット１２４、１２５、１２６にそれぞれ挿入しホルダー１４０をメイン基板１２０に固定する。ここで、固定片１４４のスリット１２４に対する合わせ精度は、固定片１４５、１４６のスリット１２５、１２６に対する精度に比べて高く設定されている。これは、固定片１４４側の収容空間１４１の奥側（Ｘ１側）の高さ（Ｚ方向）を開口側（Ｘ２側）の高さに比べて低くするためである。
【００３６】
この第２の実施形態では、まず、メイン基板１２０のスリット１２４、１２５、１２６にホルダー１４０の固定片１４４、１４５、１４６を挿入して、ホルダー１４０をメイン基板１２０に固定する。次に、アンテナユニット３０を第２面３４がメイン基板１２０の第１面１２１と対向させた状態で、ホルダー１４０の開口１４２から収容空間１４１にスライド挿入する。ホルダー１４０の収容空間１４１では、アンテナユニット３０が押し付け部１４３によりメイン基板１２０に向けて押し付けられる。そのため、アンテナユニット３０の第２端子３５とメイン基板１２０の第１端子１２３との電気的接続を安定的に保持することができる。
【００３７】
以上説明したようにこの第２の実施形態では、メイン基板１２０がアンテナユニット３０と比べて大きいものである場合でも、１つのホルダー１４０により、メイン基板２０の第１端子２３とアンテナユニット３０の第２端子３５との電気的な接続を安定的に保持することができる。
【００３８】
３．第３の実施形態：
アンテナユニット３０をホルダーに収容する方法は、上記した第１の実施形態や第２の実施形態に示すものに限定されない。この第３の実施形態では、ホルダー１４０は、第２の実施形態同様、半楕円形であり下面（Ｚ２側）が開口している。また、ホルダー１４０には、アンテナユニット３０が収容される収容空間１４１が形成されている。収容空間１４１の内側にはアンテナユニット３０をメイン基板２０に向けて押し付ける押し付け部１４３が形成されている。また、ホルダー１４０には、下方（Ｚ２側）に伸びた固定片１４４、１４５、１４６が形成されている。
【００３９】
第３の実施形態では、まず、アンテナユニット３０の第２面３４がホルダー１４０の内壁側と反対となるようアンテナユニット３０をホルダー１４０の収容空間に収容する。
次に、メイン基板１２０のスリット１２４、１２５、１２６にホルダー１４０の固定片１４４、１４５、１４６を挿入して、ホルダー１４０をメイン基板１２０に固定する。このとき、ホルダー１４０の収容空間１４１では、アンテナユニット３０が押し付け部１４３によりメイン基板１２０に向けて押し付けられる。そのため、アンテナユニット３０の第２端子３５とメイン基板１２０の第１端子１２３との電気的接続を安定的に保持することができる。
【００４０】
以上説明したようにこの第３の実施形態では、メイン基板１２０がアンテナユニット３０と比べて大きいものである場合でも、１つのホルダー１４０により、メイン基板２０の第１端子２３とアンテナユニット３０の第２端子３５との電気的な接続を安定的に保持することができる。
【００４１】
４．その他の実施形態：
通信モジュール１０を備える電子機器として録画装置を用いたことは一例に過ぎない。電子機器は、テレビジョン受像機、ＰＣ等の表示装置であってもよい。
アンテナユニットとメイン基板との形状は、上記した薄板形状に限定されない。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…通信モジュール、２０…メイン基板、２１…コネクター、２２…第１面、２３…第１端子、３０…アンテナユニット、３１…アンテナ配線、３２…ボディー、３３…上面、３４…第２面、３５…第２端子、４０…ホルダー、４１収容空間、４２…開口、４３…押し付け部、４４…爪部、４５…ブラケット、８０…筐体、８１…フロントケース、８２…ボトムシャーシ、８３…トップケース、９０…システム基板、１００…録画装置
【図１】
2016015593.tif 000003
【図２】
2016015593.tif 000004
【図３】
2016015593.tif 000005
【図４】
2016015593.tif 000006
【図５】
2016015593.tif 000007
【図６】
2016015593.tif 000008
【図７】
2016015593.tif 000009